(57)【特許請求の範囲】
【請求項１】
地震における需要家において，地震感知に伴うリミッター電流制限器(１)に接続された，一次送りブレーカ(７)負荷側(８)の検知操作手段１Ａは，地震を検知して，リミッター電流制限器(１)に接続された主開閉器(２)はＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，前記放電に伴う一次送りブレーカ(７)負荷側(８)の検知操作手段３Ａは，地震の検知と放電手段において，接地極Ｅ３‐１に係るスイッチ(Ｓ１)はＤＣでオフと，放電の開放手段とし，需要家側には，前記放電の開放手段に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，継続して計測値を収集と保存する手段を備えた送信配信総合システム。
【請求項２】
地震の検知と主開閉器(２)は開放手段と以降の操作は，並列接続状態(２０)に係る線路の帯電手段に伴う電流検知(５１)と，漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された主開閉器(２)に係る再投入オン手段とし，一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，共に継続して計測値を収集と保存する手段を備えた請求項１記載の送信配信総合システム。
【請求項３】
平常時における待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，以降の操作は，電力量計側器(１１)の電源側スイッチ(Ｓ３)をオンと，待機電流に係る開放確認手段とし，電源側リモコン開閉器(Ｓ４)をオンと，ゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知であって，ドリフト電流ｅ７は，Ｌ側(４Ｌ)に係る線路の帯電とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)及び不点灯を確認とし，中性Ｎ側中性極スイッチ(Ｓ６)をオフとし，手動オンに伴う直列接続状態での点灯は，漏れ接続(Ｒ３)及び漏れ接続(Ｒ４)及び不点灯を確認とし，中性Ｎ側中性極スイッチ(Ｓ６)をオンと，手動オンに伴う負荷機器(２７)並列接続状態に係る点灯及び不点灯を断線確認とし，手動オンに伴う負荷機器(２７)並列接続状態に係る点灯は，ゼロクロス開閉器(Ｓ５)オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた請求項１または２記載の送信配信総合システムと待機電流に係る省エネスイッチ方法。
【発明の詳細な説明】
【技術分野】
【０００１】
本発明は，地震における需要家において，保全業務に用いる絶縁測定装置を用いることなく，地震を検知して，リミッター電流制限器(１)に接続された主開閉器(２)はＤＣ開放手段とし，以降の操作は，スイッチ(Ｓ２)とスイッチ(Ｓ６)をオンとする手段を具備する構成と，漏れ接続状態直列における帯電に伴う電流検知(５１)で，回路遮断と遮断された分岐ブレーカ(５２)負荷側(５３)における回路開放に係る消灯の検知と，各操作スイッチＳ１〜Ｓ６はオフとする手段を具備する構成とで，入力側に切り替わり手段を具備する構成とし，リミッター電流制限器(１)に接続された主開閉器(２)は，再投入オン手段に関するものである。
【背景技術】
【０００２】
例えば「電気用品安全法における電気用品の技術上の基準を定める省令の取り扱い細則」や「ＩＥＣ６０３３５−１：１９９４の国際標準規格」では，電気用品（測定対象体）に接続される２本の交流電源線（以下，「電源線」ともいう）のうちいずれか一本と電気用品の外装（露出充電部）との間の漏れ電流を測定する主旨が指示されている，この種の漏れ電流を測定可能な漏れ電流測定装置として（特許文献１，特許文献２）や，低圧電気設備の漏電電流状態を測定する装置（特許文献３）が知られている。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【発明の概要】
【発明が解決しようとする課題】
【０００４】
しかしながら，地震における需要家において，従来技術では，地震の検知とリミッター電流制限器に接続の主幹の開放と，放電スイッチの投入及び開放で，幹線の帯電を放電とし，次に，分岐ブレーカ負荷側の端末機器の漏電箇所の検知は，接地極線で測定する構成であって，分岐ブレーカの開放は，検知確認と手動による回路の開放とで構成されている。
【０００５】
次に，従来技術においては，電気用品(測定対象体)を用いた漏れ電流を測定と検知であって，分岐ブレーカの負荷側における回路に係る検知確認と，分岐ブレーカの開放は，検知確認と手動による回路の開放とで構成されている。
【０００６】
しかも，地震保険等の契約には，地震で避難する時は，主開閉器又は電気のブレーカをオフにするとなっている，しかし，地震保険に係る前記主開閉器の遮断と，電力量計側器とスマートゲートウェイ(計側収集保存送信機器)を用いたローカルシステム(送信配信総合システム)とＬＡＮ接続のパソコンで構成した，需要家における主開閉器の開放及び放電とした電気の情報は可能であるが，リミッター電流制限器に接続された一次送りブレーカ負荷側に設置した電力量計側器による各機器の使用消費電流と，それ以降の消費者保護策は，なされていない，本発明は，これらの問題点を解決するためになされたものである。
【課題を解決するための手段】
【０００７】
本発明は，地震における需要家において，地震感知に伴うリミッター電流制限器(１)に接続された，一次送りブレーカ(７)負荷側(８)の検知操作手段１Ａは，地震を検知して，リミッター電流制限器(１)に接続された主開閉器(２)はＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，前記放電に伴う一次送りブレーカ(７)負荷側(８)の検知操作手段３Ａは，地震の検知と放電手段において，接地極Ｅ３‐１に係るスイッチ(Ｓ１)はＤＣでオフと，放電の開放手段とし，需要家側には，前記放電の開放手段を具備する構成に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，継続して計測値を収集と保存する手段を備えた送信配信総合システム。
【０００８】
地震の検知と主開閉器(２)に係る開放手段と以降の操作は，並列接続状態(２０)に係る線路の帯電手段に伴う電流検知(５１)と，漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された主開閉器(２)に係る再投入オン手段と，一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，共に継続して計測値を収集と保存する手段を備えた送信配信総合システム。
【０００９】
平常時における待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，以降の操作は，電力量計側器(１１)の電源側スイッチ(Ｓ３)をオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知であって，ドリフト電流ｅ７は，電源側に係る線路の帯電とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)及び不点灯を確認とし，中性Ｎ側中性極スイッチ(Ｓ６)をオフとし，手動オンに伴う直列接続状態での点灯は，漏れ接続(Ｒ３)及び漏れ接続(Ｒ４)及び不点灯を確認とし，中性Ｎ側中性極スイッチ(Ｓ６)をオンと，手動オンに伴う負荷機器(２７)並列接続状態に係る点灯及び不点灯を断線確認とし，手動オンに伴う負荷機器(２７)並列接続状態に係る点灯は，ゼロクロス開閉器(Ｓ５)オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００１０】
本発明は，地震における需要家において，
１．地震感知に伴う，リミッター電流制限器(１)に接続された，一次送りブレーカ(７)負荷側(８)の検知操作手段１Ａは，地震を検知して，リミッター電流制限器(１)に接続された主開閉器(２)はＤＣ開放手段とし， 
２．前記主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，
３．放電に伴う一次送りブレーカ(７)負荷側(８)の検知操作手段３Ａは，地震の検知と放電構成で，接地極Ｅ３‐１に係るスイッチ(Ｓ１)はＤＣでオフと，放電の開放手段とし，
４．需要家側には，前記放電の開放手段に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，継続して計測値を収集と保存する手段を備えた送信配信総合システム。
【００１１】
５．放電の開放手段に伴う，一次送りブレーカ(７)負荷側(８)の検知操作手段１Ｂは，分岐ブレーカ(３)負荷側(４)の中性Ｎ側幹線(４Ｎ)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的としたクリップ測定対象体(２０)を具備する構成となる。
６．以降の操作は，電源側リモコン開閉器(Ｓ４)はオフと，ゼロクロス開閉器(Ｓ５)もオフと，電力量計側器(１１)の電源側スイッチ(Ｓ３)はオフとし，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段を具備する構成となる。
【００１２】
７．以降，操作スイッチ(Ｓ１)〜(Ｓ６)に係る開放手段に伴う，一次送りブレーカ(７)負荷側(８)の検知操作手段２Ｂは，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係る接続ネオンランプｅ１は，交流１００Ｖでは７０Ｖで陰極グローと負極が発光により，電圧３５Ｖのドリフト電流ｅ４でＬＥＤｅ２が点灯を，フォトカプラーｅ３における点灯の検知であって，前記ドリフト電流ｅ４は，中性Ｎ側幹線(Ｎ４)に係る線路の帯電とし，分岐ブレーカ(３)負荷側(４)の線路(４Ｌ)と(４Ｎ)の間には，操作を目的としたクリップ測定対象体(２０)における並列接続状態とで，前記並列接続状態に係る線路の帯電手段と，前記点灯の検知を具備する構成となる。
【００１３】
８．以降，点灯の検知と線路の帯電手段に伴う，一次送りブレーカ(７)負荷側(８)の検知操作手段３Ｂは，線路の帯電に伴う点灯の検知とし，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
９．以降，遮断回路(５２)における，消灯の検知手段に伴う，一次送りブレーカ(７)負荷側(８)の検知操作手段４Ｂは，中性Ｎ側中性極スイッチ(Ｓ６)はオフと，接地極Ｅ３‐１に係るスイッチ(Ｓ１)はオフとし，一次送りブレーカ(７)負荷側(８)に係るスイッチ(Ｓ２)もオフとで，各操作スイッチ(Ｓ１)〜(Ｓ６)に係る開放手段を具備する構成は，修復依頼となる。
【００１４】
１０．よって，分岐ブレーカ(３)負荷側(４)の線路(４Ｌ)と(４Ｎ)の間には，操作を目的とした，クリップ測定対象体(２０)に係る並列接続状態において，前記分岐ブレーカ(３)負荷側(４)の中性Ｎ側幹線(Ｎ４)に係る，線路の帯電に伴う電流検知(５１)と，前記分岐ブレーカ(３)は，回路遮断と遮断回路(５２)に係る，消灯の検知手段とし，各操作スイッチ(Ｓ１)〜(Ｓ６)に係る開放手段を具備する構成は，修復依頼となる。
なお，以降の操作は，クリップ測定対象体(２０)の取り外し手段に伴う，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，非破壊確認手段を具備する構成は，修復依頼となる。
【００１５】
１１．以降，クリップ測定対象体(２０)取り外し手段に伴う，一次送りブレーカ(７)負荷側(８)の検知操作手段５Ｂは，分岐ブレーカ(３)負荷側(４)の中性Ｎ側幹線(Ｎ４)に係る，線路の帯電に伴う電流検知(５１)と，分岐ブレーカ(３)負荷側(４)の線路間には，電源側スイッチ(Ｓ３)と電力量計側器(１１)とし，分岐ブレーカ(３)負荷側(４)線路の端末接地極付コンセント(１９)には，操作を目的とした，プラグ接続測定対象体(２１)とし，前記測定対象体(２１)の機器内負荷側線路(Ｌ側)及び線路(Ｎ側)と，電気用品の外装(２６)間における漏れ接続(Ｒ３)及び漏れ接続(Ｒ４)とで，直列接続状態に係る線路帯電手段を具備する構成となる。
１２．以降の操作は，電源側リモコン開閉器(Ｓ４)はオフと，ゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，前記スイッチ(Ｓ２)に係るネオンランプｅ１は，交流１００Ｖでは７０Ｖで陰極グローと負極が発光により，電圧３５Ｖのドリフト電流ｅ４でＬＥＤｅ２が点灯を，フォトカプラーｅ３における点灯の検知であって，前記ドリフト電流ｅ４は中性Ｎ側幹線(Ｎ４)に係る線路の帯電と，分岐ブレーカ(３)負荷側(４)線路の端末接地極付コンセント(１９)とで，プラグ接続測定対象体(２１)に係る直列接続状態とし，直列接続状態に係る線路の帯電手段と，前記点灯の検知を具備する構成は，修復依頼となる。
【００１６】
１３．以降，点灯の検知と線路の帯電手段に伴う，一次送りブレーカ(７)負荷側(８)の検知操作手段６Ｂは，線路の帯電に伴う前記点灯の検知と，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，消灯に伴う検知手段を具備する構成は，修復依頼となる。
１４．以降の操作は，遮断回路(５２)における消灯の検知手段に伴う，一次送りブレーカ(７)負荷側(８)の検知操作手段７Ｂは，中性Ｎ側中性極スイッチ(Ｓ６)はオフと，一次送りブレーカ(７)負荷側(８)に係るスイッチ(Ｓ２)もオフとで，各操作スイッチ(Ｓ１)〜(Ｓ６)に係る開放手段を具備する構成は，修復依頼となる。
【００１７】
１５．よって，分岐ブレーカ(３)負荷側(４)線路の端末接地極付コンセント(１９)に係る，操作を目的とした，プラグ接続測定対象体(２１)を用いた構成は，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，以降の操作は，確認遮断された分岐ブレーカ(５２)に係る入力側を(Ｘ)と，開放確認された各操作スイッチ(Ｓ１)〜(Ｓ６)に係る入力側を(Ｙ)とで，切り替わり手段を具備する構成となる。
【００１８】
１６．以降，各操作スイッチ(Ｓ１)〜(Ｓ６)に係る開放手段を具備する構成と，回路遮断分岐ブレーカ(５２)に係る開放手段を具備する構成に伴う，一次送りブレーカ(７)負荷側(８)の検知操作手段４Ａは，回路確認遮断された分岐ブレーカ(５２)に係る入力側を(Ｘ)と，開放確認された各操作スイッチ(Ｓ１)〜(Ｓ６)に係る入力側を(Ｙ)とで，切り替わり手段を具備する構成となる。
【００１９】
１７．以降，地震の検知における，リミッター電流制限器(１)に接続された主開閉器(２)に係るオフ確認とし，以降の操作は，主開閉器(２)に係る再投入オン手段とし，主開閉器(２)に係る再投入オン手段による供給は，回路開放された分岐ブレーカ(５２)に係る入力側(Ｘ)と，開放された各操作スイッチ(Ｓ１)〜(Ｓ６)に係る入力側は(Ｙ)とで，切り替わり手段を具備する構成となる。
【００２０】
１８．なお，以降の操作は，回路開放された分岐ブレーカ(５２)に係る入力側(Ｘ)とし，切り替わり手段において，需要家における，供給入力に伴う操作手段と，直列接続状態と並列接続状態における構成であって， 
イ．回路開放された分岐ブレーカ(５２)おいては，分電盤内機器となるので開放確認とし，測定対象体(２１)の機器内負荷側線路(Ｌ)及び線路(Ｎ)と，電気用品の外装(２６)間における漏れ接続(Ｒ３)及び漏れ接続(Ｒ４)に係る，直列接続状態における構成は，修復依頼となる。
ロ．回路開放された分岐ブレーカ(５２)おいては，分電盤内機器となるので開放確認とし，分岐ブレーカ(３)負荷側(４)の線路(４Ｌ)と(４Ｎ)の間に設置した，クリップ測定対象体(２０)に係る，並列接続状態における構成は，修復依頼となる。
【００２１】
１９．なお以降，開放された各操作スイッチ(Ｓ１)〜(Ｓ６)に係る入力側は(Ｙ)として，切り替わり手段を具備する構成と，入力側(Ｙ)に係る供給に伴う入力操作は，開放された各操作スイッチ(Ｓ１)〜(Ｓ６)に係る開放確認とし，手動投入操作における確認使用となる。
【００２２】
２０．以降の操作は，電力量計側器(１１)の電源側スイッチ(Ｓ３)をオンとし，プラグ接続測定対象体(２１)に係る負荷機器(２７)電源側スイッチ(Ｓ８)は，手動オフに伴う開放を確認とし，電源側リモコン開閉器(Ｓ４)をオンと，ゼロクロス開閉器(Ｓ５)はオフと，中性Ｎ側中性極スイッチ(Ｓ６)はオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知であって，前記ドリフト電流ｅ７は，Ｌ側(４Ｌ)に係る線路の帯電と，分岐ブレーカ(３)負荷側(４)線路の端末接地極付コンセント(１９)には，操作を目的とした，プラグ接続測定対象体(２１)とし，負荷機器(２７)電源側スイッチ(Ｓ８)は，手動オフに伴う並列接続状態(トラッキング状態Ｒ３)に係る点灯確認とする手段を具備する構成とし，並列接続状態における構成は，修復依頼となる。
なお，点灯確認後においては，電源側リモコン開閉器(Ｓ４)はオフと，ゼロクロス開閉器(Ｓ５)はオフと，中性Ｎ側中性極スイッチ(Ｓ６)はオフとする。
【発明の効果】
【００２３】
１．負荷側(８)に係る，検知操作手段及び常時供給機器に係る消費使用の電力量として，継続して計測値を収集と保存する手段を備えた送信配信総合システムは，前記消費使用の電力量を，地震における在宅情報手段を具備する構成であって，
２．以降の操作と，機器等の使用に基づく消費者の保護情報は，インターネットとＬＡＮ接続パソコン等を用いて，地震等における在宅情報と，電気設備に係るバリヤフリー対策とし，高齢者向けの「生活支援サービス」として，ケアマネジャー等が，前記在宅情報をもとに，駆け付ける手段になる効果がある。
３．なお，前記電気設備に係るバリヤフリー対策には，測定対象体の漏れ状態直列(２１)及び測定対象体のトラッキング状態並列(２０)と，測定装置等を用いて定期的に測定する手段とする効果がある。
４．インターネットとＬＡＮ接続パソコン等を用いて，地震等における在宅情報が得られる手段になる効果がある。
【図面の簡単な説明】
【００２４】
【図１】送信配信総合システムと図１記載のシステム構成図。
【図２】需要家側の接地極コンセント(１９)に接続された，図２記載の測定対象体の漏れ状態直列(２１)を用いた構成を示すブロック図。
【発明を実施するための形態】
【００２５】
送信配信総合システムと図1記載のシステム構成図を用いて，本発明の実施の形態に伴う以降の操作と構成を説明する。本発明は，地震における需要家において，
１．地震感知に伴う，リミッター電流制限器(１)に接続された，一次送りブレーカ(７)負荷側(８)の検知操作手段１Ａは，地震を検知して，リミッター電流制限器(１)に接続された主開閉器(２)はＤＣ開放手段とし，
２．前記主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，
３．放電に伴う一次送りブレーカ(７)負荷側(８)の検知操作手段３Ａは，地震の検知と放電構成で，接地極Ｅ３‐１に係るスイッチ(Ｓ１)はＤＣでオフと，放電の開放手段とし，
４．需要家側には，前記放電の開放手段に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，継続して計測値を収集と保存する手段を備えた送信配信総合システム。
【００２６】
５．放電の開放手段に伴う，一次送りブレーカ(７)負荷側(８)の検知操作手段１Ｂは，分岐ブレーカ(３)負荷側(４)の中性Ｎ側幹線(４Ｎ)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)を具備する構成となる。
６．以降の操作は，電源側リモコン開閉器(Ｓ４)はオフと，ゼロクロス開閉器(Ｓ５)もオフと，電力量計側器(１１)の電源側スイッチ(Ｓ３)はオフとし，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段を具備する構成となる。
【００２７】
７．以降，操作スイッチ(Ｓ１)〜(Ｓ６)に係る開放手段に伴う，一次送りブレーカ(７)負荷側(８)の検知操作手段２Ｂは，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係る接続ネオンランプｅ１は，交流１００Ｖでは７０Ｖで陰極グローと負極が発光により，電圧３５Ｖのドリフト電流ｅ４でＬＥＤｅ２が点灯を，フォトカプラーｅ３における点灯の検知であって，前記ドリフト電流ｅ４は，中性Ｎ側幹線(Ｎ４)に係る線路の帯電とし，分岐ブレーカ(３)負荷側(４)の線路(４Ｌ)と(４Ｎ)の間には，操作を目的とした，クリップ測定対象体(２０)における並列接続状態とで，前記並列接続状態に係る線路の帯電手段と，前記点灯の検知を具備する構成となる。
【００２８】
８．以降，点灯の検知と線路の帯電手段に伴う，一次送りブレーカ(７)負荷側(８)の検知操作手段３Ｂは，線路の帯電に伴う点灯の検知とし，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
９．以降，遮断回路(５２)における，消灯の検知手段に伴う，一次送りブレーカ(７)負荷側(８)の検知操作手段４Ｂは，中性Ｎ側中性極スイッチ(Ｓ６)はオフと，接地極Ｅ３‐１に係るスイッチ(Ｓ１)はオフとし，一次送りブレーカ(７)負荷側(８)に係るスイッチ(Ｓ２)もオフとで，各操作スイッチ(Ｓ１)〜(Ｓ６)に係る開放手段を具備する構成は，修復依頼となる。
【００２９】
１０．よって，分岐ブレーカ(３)負荷側(４)の線路(４Ｌ)と(４Ｎ)の間には，操作を目的としたクリップ測定対象体(２０)に係る並列接続状態において，前記分岐ブレーカ(３)負荷側(４)の中性Ｎ側幹線(Ｎ４)に係る，線路の帯電に伴う電流検知(５１)と，前記分岐ブレーカ(３)は，回路遮断と遮断回路(５２)に係る，消灯の検知手段とし，各操作スイッチ(Ｓ１)〜(Ｓ６)に係る開放手段を具備する構成は，修復依頼となる。
なお，以降の操作は，クリップ測定対象体(２０)の取り外し手段に伴う，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，非破壊確認手段を具備する構成は，修復依頼となる。
【００３０】
１１．以降，クリップ測定対象体(２０)取り外し手段に伴う，一次送りブレーカ(７)負荷側(８)の検知操作手段５Ｂは，分岐ブレーカ(３)負荷側(４)の中性Ｎ側幹線(Ｎ４)に係る，線路の帯電に伴う電流検知(５１)と，分岐ブレーカ(３)負荷側(４)の線路間には，電源側スイッチ(Ｓ３)と電力量計側器(１１)とし，分岐ブレーカ(３)負荷側(４)線路の端末接地極付コンセント(１９)には，操作を目的とした，プラグ接続測定対象体(２１)とし，前記測定対象体(２１)の機器内負荷側線路(Ｌ側)及び線路(Ｎ側)と，電気用品の外装(２６)間における漏れ接続(Ｒ３)及び漏れ接続(Ｒ４)とで，直列接続状態に係る線路帯電手段を具備する構成となる。
１２．以降の操作は，電源側リモコン開閉器(Ｓ４)はオフと，ゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，前記スイッチ(Ｓ２)に係るネオンランプｅ１は，交流１００Ｖでは７０Ｖで陰極グローと負極が発光により，電圧３５Ｖのドリフト電流ｅ４でＬＥＤｅ２が点灯を，フォトカプラーｅ３における点灯の検知であって，前記ドリフト電流ｅ４は中性Ｎ側幹線(Ｎ４)に係る線路の帯電と，分岐ブレーカ(３)負荷側(４)線路の端末接地極付コンセント(１９)とで，プラグ接続測定対象体(２１)に係る直列接続状態とし，直列接続状態に係る線路の帯電手段と，前記点灯の検知を具備する構成は，修復依頼となる。
【００３１】
１３．以降，点灯の検知と線路の帯電手段に伴う，一次送りブレーカ(７)負荷側(８)の検知操作手段６Ｂは，線路の帯電に伴う前記点灯の検知と，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，消灯に伴う検知手段を具備する構成は，修復依頼となる。
１４．以降の操作は，遮断回路(５２)における消灯の検知手段に伴う，一次送りブレーカ(７)負荷側(８)の検知操作手段７Ｂは，中性Ｎ側中性極スイッチ(Ｓ６)はオフと，一次送りブレーカ(７)負荷側(８)に係るスイッチ(Ｓ２)もオフとで，各操作スイッチ(Ｓ１)〜(Ｓ６)に係る開放手段を具備する構成は，修復依頼となる。
【００３２】
１５．よって，分岐ブレーカ(３)負荷側(４)線路の端末接地極付コンセント(１９)に係る，操作を目的とした，プラグ接続測定対象体(２１)を用いた構成は，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，以降の操作は，確認遮断された分岐ブレーカ(５２)に係る入力側を(Ｘ)と，開放確認された各操作スイッチ(Ｓ１)〜(Ｓ６)に係る入力側を(Ｙ)とで，切り替わり手段を具備する構成となる。
【００３３】
１６．以降，各操作スイッチ(Ｓ１)〜(Ｓ６)に係る開放手段を具備する構成と，回路遮断分岐ブレーカ(５２)に係る開放手段を具備する構成に伴う，一次送りブレーカ(７)負荷側(８)の検知操作手段４Ａは，回路確認遮断された分岐ブレーカ(５２)に係る入力側を(Ｘ)と，開放確認された各操作スイッチ(Ｓ１)〜(Ｓ６)に係る入力側を(Ｙ)とで，切り替わり手段を具備する構成となる。
【００３４】
１７．以降，地震の検知における，リミッター電流制限器(１)に接続された主開閉器(２)に係るオフ確認とし，以降の操作は，主開閉器(２)に係る再投入オン手段とし，主開閉器(２)に係る再投入オン手段による供給は，回路開放された分岐ブレーカ(５２)に係る入力側(Ｘ)と，開放された各操作スイッチ(Ｓ１)〜(Ｓ６)に係る入力側は(Ｙ)とで，切り替わり手段を具備する構成となる。
【００３５】
１８．なお，以降の操作は，回路開放された分岐ブレーカ(５２)に係る入力側(Ｘ)とし，切り替わり手段において，需要家における，供給入力に伴う操作手段と，直列接続状態と並列接続状態における構成であって， 
イ．回路開放された分岐ブレーカ(５２)おいては，分電盤内機器となるので開放確認とし，測定対象体(２１)の機器内負荷側線路(Ｌ)及び線路(Ｎ)と，電気用品の外装(２６)間における漏れ接続(Ｒ３)及び漏れ接続(Ｒ４)に係る，直列接続状態における構成は，修復依頼となる。
ロ．回路開放された分岐ブレーカ(５２)おいては，分電盤内機器となるので開放確認とし，分岐ブレーカ(３)負荷側(４)の線路(４Ｌ)と(４Ｎ)の間に設置した，クリップ測定対象体(２０)に係る，並列接続状態における構成は，修復依頼となる。
【００３６】
１９．なお以降，開放された各操作スイッチ(Ｓ１)〜(Ｓ６)に係る入力側は(Ｙ)として，切り替わり手段を具備する構成と，入力側(Ｙ)に係る供給に伴う入力操作は，開放された各操作スイッチ(Ｓ１)〜(Ｓ６)に係る開放確認とし，手動投入操作における確認使用となる。
【００３７】
２０．以降の操作は，電力量計側器(１１)の電源側スイッチ(Ｓ３)をオンとし，プラグ接続測定対象体(２１)に係る負荷機器(２７)電源側スイッチ(Ｓ８)は，手動オフに伴う開放を確認とし，電源側リモコン開閉器(Ｓ４)をオンと，ゼロクロス開閉器(Ｓ５)はオフと，中性Ｎ側中性極スイッチ(Ｓ６)はオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知であって，前記ドリフト電流ｅ７は，Ｌ側(４Ｌ)に係る線路の帯電と，分岐ブレーカ(３)負荷側(４)線路の端末接地極付コンセント(１９)には，操作を目的とした，プラグ接続測定対象体(２１)とし，負荷機器(２７)電源側スイッチ(Ｓ８)は，手動オフに伴う並列接続状態(トラッキング状態Ｒ３)に係る点灯確認とする手段を具備する構成とし，並列接続状態における構成は，修復依頼となる。
なお，点灯確認後においては，電源側リモコン開閉器(Ｓ４)はオフと，ゼロクロス開閉器(Ｓ５)はオフと，中性Ｎ側中性極スイッチ(Ｓ６)はオフとする。
【００３８】
地震における需要家において，地震感知に伴うリミッター電流制限器(１)に接続された，一次送りブレーカ(７)負荷側(８)の検知操作手段１Ａは，地震を検知して，リミッター電流制限器(１)に接続された主開閉器(２)はＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，前記放電に伴う一次送りブレーカ(７)負荷側(８)の検知操作手段３Ａは，地震の検知と放電手段において，接地極Ｅ３‐１に係るスイッチ(Ｓ１)はＤＣでオフと，放電の開放手段とし，需要家側には，前記放電の開放手段に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，継続して計測値を収集と保存する手段を備えた送信配信総合システム。
【００３９】
地震の検知と主開閉器(２)は開放手段と以降の操作は，並列接続状態(２０)に係る線路の帯電手段に伴う電流検知(５１)と，漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された主開閉器(２)に係る再投入オン手段とし，一次送りブレーカ(７)負荷側(８)に係る，検知操作手段及び常時供給機器に係る消費使用の電力量は，電力量計側器(９)と計側収集保存送信機器(１０)において，前記負荷側(８)に係る消費使用の電力量とし，共に継続して計測値を収集と保存する手段を備えた請求項１記載の送信配信総合システム。
【００４０】
平常時における待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，以降の操作は，電力量計側器(１１)の電源側スイッチ(Ｓ３)をオンと，待機電流に係る開放確認手段とし，電源側リモコン開閉器(Ｓ４)をオンと，ゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知であって，ドリフト電流ｅ７は，Ｌ側(４Ｌ)に係る線路の帯電とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)及び不点灯を確認とし，中性Ｎ側中性極スイッチ(Ｓ６)をオフとし，手動オンに伴う直列接続状態での点灯は，漏れ接続(Ｒ３)及び漏れ接続(Ｒ４)及び不点灯を確認とし，中性Ｎ側中性極スイッチ(Ｓ６)をオンと，手動オンに伴う負荷機器(２７)並列接続状態に係る点灯及び不点灯を断線確認とし，手動オンに伴う負荷機器(２７)並列接続状態に係る点灯は，ゼロクロス開閉器(Ｓ５)オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた請求項１または２記載の送信配信総合システムと待機電流に係る省エネスイッチ方法。
【符号の説明】
【００４１】
１.リミッター電流制限器(１)，２．主開閉器(２)，
３.分岐ブレーカ(３)，４Ｌ.負荷側(４Ｌ)，４Ｎ.負荷側(４Ｎ)，
７.一次送りブレーカ(７)，８Ｎ.負荷側(８Ｎ)，８Ｌ.負荷側(８Ｌ)，
９.電力量計側器(９)，１０.計側収集保存送信機器(１０)，１１.電力量計側器(１１)，１９.端末接地極付コンセント(１９)，２０.クリップ測定対象体(２０)，
２１.プラグ接続測定対象体(２１)，
２６.電気用品の外装(２６)，２７.負荷機器(２７)，
５１.線路の帯電に伴う電流検知(５１)，５２.遮断と遮断回路(５２)，
Ｐ１.電源側Ｐ１，Ｐ２.中性側Ｐ２，Ｌ４.電源Ｌ側４Ｌ，Ｎ４.中性Ｎ側Ｎ４，
４Ｌ.電源４Ｌ，４Ｎ.中性４Ｎ，Ｒ２.トラッキング状態Ｒ２，
Ｒ３.漏れ接続Ｒ３，Ｒ４.漏れ接続Ｒ４，
ｅ１.ネオンランプｅ１，ｅ２.ＬＥＤｅ２，ｅ３.フォトカプラーｅ３，
ｅ４.ドリフト電流ｅ４，
ｅ５.並列接続ネオンランプｅ５，ｅ６.ＬＥＤｅ６，ｅ７.ドリフト電流ｅ７，
(Ｘ).電源側(Ｐ１)，Ｘ.中性側(Ｐ２)，(Ｙ).電源側(Ｐ１)，(Ｙ).中性側(Ｐ２)，
Ｓ１.接地極Ｅ３−１に係るスイッチ(Ｓ１)，Ｓ２.負荷側(８)に係るスイッチ(Ｓ２)，Ｓ３.電源側スイッチ(Ｓ３)，Ｓ４.電源側リモコン開閉器(Ｓ４)，
Ｓ５.ゼロクロス開閉器(Ｓ５)，Ｓ６.中性Ｎ側中性極スイッチ(Ｓ６)，
Ｓ７.接地極Ｅ３−１に係るスイッチ(Ｓ７)，
Ｓ８.負荷機器(２７)の電源側スイッチ(Ｓ８)，
一次送りブレーカ(７)負荷側(８)の検知操作手段は：１Ａ，２Ａ，３Ａ，４Ａ，
一次送りブレーカ(７)負荷側(８)の検知操作手段は：１Ｂ，２Ｂ，３Ｂ，４Ｂ，
５Ｂ，６Ｂ，７Ｂ，
【要約】      （修正有）【課題】リミッター電流制限器に接続された一次送りブレーカ負荷側に設置した電力量計側器による各機器の使用消費電流と，それ以降の消費者保護策がなされたシステム等を提供する。【解決手段】平常時における待機電流に係る省エネスイッチ手段を具備する構成は，主開閉器２に係る再投入オン手段に伴う，開放された各操作スイッチＳ１〜Ｓ６に係る開放確認手段と，手動投入手段であって， 以降の操作は，電力量計側器１１の電源側スイッチＳ３をオンに伴う待機電流に係る開放確認手段とし，手動オンに伴う負荷機器２７並列接続状態に係る点灯は，ゼロクロス開閉器Ｓ５オンに伴う負荷機器２７における消費使用の電力量とし，電力量計側器１１と計側収集保存送信機器１０において，分岐ブレーカ３負荷側４に係る消費使用の電力量とし，共に継続して計測値を収集と保存する手段を備えた送信配信総合システムと待機電流に係る省エネスイッチ方法。【選択図】図１【図１】
0005731691.tif 000002
【図２】
0005731691.tif 000003